(57)【要約】【課題】構造が簡易なシャツを提供すること。【解決手段】後背部を形成する後身頃と、袖部と、後身頃の前方に縫い付けられる前身頃と、後身頃に、シャツの肩部の稜線に沿って、肩部の左右に一対設けた縫込み部とを備えてシャツを形成した。【選択図】図１
0003180041.tif 000002
【実用新案登録請求の範囲】
【請求項１】
後背部を形成する後身頃と、
袖部と、
前記後身頃の前方に縫い付けられる前身頃と、
前記後身頃に、該後身頃の肩部の稜線に沿って、前記肩部の左右に一対設けられた縫込み部と、を備えたことを特徴とするシャツ。
【請求項２】
前記縫込み部は、前記肩部の左右両側で、幅方向に広く、前記肩部の中心に向かうにつれ、幅が狭められていることを特徴とする請求項１に記載のシャツ。
【考案の詳細な説明】
【技術分野】
【０００１】
本考案は、簡易な構成で、着用感が良好なシャツに関する。
【背景技術】
【０００２】
ワイシャツは、袖部と、後身頃に縫い付けられた上前身頃及び下前身頃と、襟部などとを備え、上前身頃に設けられたボタンホールと、下前身頃とに設けられたボタンとを留めて着用する。ワイシャツは、後身頃と前身頃とを上部で縫い合わせるとともに、ヨークと呼ばれる別布を肩部に取り付けて形成していた。
【０００３】
ヨークは、これを肩部に取り付けることにより、肩部の強度を上昇させるとともに、肩部の形状を整えていた。
【０００４】
又、特許文献には、ヨークを省略したシャツの発明が記載されている。（特許文献１参照）。
【先行技術文献】
【特許文献】
【０００５】
【特許文献１】実用新案登録第３０８０２２号公報
【考案の概要】
【考案が解決しようとする課題】
【０００６】
しかしながら、ヨークをシャツの肩部に設けた場合、製造工程において、ヨークを取り付けるための手間が増加する。シャツを伸縮性のある生地で製造した場合でも、後身頃の生地の伸縮方向と伸縮方向が直交するようにヨークを設けていたため、肩部の伸縮性が低下することがあった。
【０００７】
シャツの肩部が、後身頃とヨークで生地が二重になるため、通気性が低下し、夏場に着用すると暑く感じることがあった。一方、ヨークを用いることなく、シャツを構成すると、シャツの肩部の形状が平坦になり、着用感が損なわれるおそれがあった。
【０００８】
本考案は、簡易な構成で、しかも、肩部の形状が整えられたシャツを提供することを目的とする。
【課題を解決するための手段】
【０００９】
上記の課題を解決し、目的を達成するため、本考案にかかるシャツは、次のように構成されている。
【００１０】
シャツは、後背部を形成する後身頃と、袖部と、後身頃の前方に縫い付けられる前身頃と、を備えている。後身頃と前身頃とは、シャツの上部で直接縫い付けられている。又、後身頃の肩部に、ダーツと呼ばれる縫込み部を、シャツの肩部の稜線に沿って形成した。
【考案の効果】
【００１１】
本考案にかかるシャツによれば、シャツの肩部は、後身頃だけの一重構造であるので、シャツの構造が簡易になる。シャツの通気性が良好になり、着用感が向上する。シャツの肩周りの運動性が向上する。縫込み部により、肩部の形状を良好にし、着心地を良好にできる。
【図面の簡単な説明】
【００１２】
【図１】本考案にかかる一実施形態のワイシャツを示す正面図。
【図２】同ワイシャツを示す背面図。
【図３】同ワイシャツの後身頃を示す背面図。
【図４】同ワイシャツの前身頃を示す正面図。
【図５】同ワイシャツの襟部を示す正面図。
【図６】同ワイシャツの袖部を示す正面図。
【図７】同ワイシャツの左脇身頃を示す正面図。
【図８】同ワイシャツの着用例を示す斜視図。
【考案を実施するための形態】
【００１３】
本考案にかかる一実施形態のワイシャツについて図を用いて説明する。図１は、本考案にかかる一実施形態のワイシャツ１０を示す正面図であり、図２は、ワイシャツ１０を示す背面図である。以下、ワイシャツ１０について、図８に示すようにワイシャツ１０を直立した人Ａに着用させた状態において、人Ａの前方と同方向をワイシャツ１０の前方とし、それを基準にワイシャツ１０の後方、及び左右を定める。又、重力の方向を下方、その逆を上方として説明する。更に、外表面から内部に向かう方向を内側、その逆を外側として説明する。
【００１４】
ワイシャツ１０は、図１、及び図２に示すように、襟部１２と、袖部１４と、後身頃１６（図２参照）と、上前身頃１８と、下前身頃２０とを備えている。襟部１２を図５に示す。襟部１２は、ワイシャツ１０の肩部２６に取り付けられている。
【００１５】
袖部１４（左袖）を図６に示す。袖部１４は、筒体状で、下端に袖部縫い合わせ線１５が設けられている。袖部縫い合わせ線１５により、袖部１４は、筒体状に形成されている。袖部１４（左右一対）は、肩部２６の左右に取り付けられている。図６の袖部１４は、長袖用であるが、本考案は、半袖シャツであってもよい。
【００１６】
図２、図３に、後身頃１６を示す。図３は、後身頃１６をワイシャツ１０の後方から示している。後身頃１６は、上端部に襟部１２に対応した襟部取付線３０と、後身頃右肩線３２と、後身頃左肩線３４が形成されている。襟部取付線３０には、襟部１２が取り付けられる。後身頃右肩線３２と後身頃左肩線３４には、それぞれ後述する上前身頃１８と下前身頃２０の上前身頃肩線４４と下前身頃肩線４６が縫い付けられる。
【００１７】
後身頃１６の左側方には、左袖取付線３６と後身頃左脇線３８とが形成されている。後身頃１６の右側方には、右袖取付線３７と後身頃右脇線３９が形成されている。後身頃左脇線３８と後身頃右脇線３９とは、基本的にワイシャツ１０の内側に湾曲した曲線で、後身頃１６の背中心を境に左右対称に形成されている。尚、後身頃左脇線３８と後身頃右脇線３９とは、直線、あるいは外に凸の曲線であってもよい。
【００１８】
又、後身頃１６の肩部２６には、ダーツと呼ばれる縫込み部２７が左右に設けられている。縫込み部２７は、後身頃１６を筒体状に縫込んだもので、肩部２６の最上部の稜線に沿って形成されている。縫込み部２７は、円錐状で、肩部２６の両端側を広く縫いこんでいる。
【００１９】
更に、後身頃１６のウェスト部２９には、縦方向に縫込み部３１が設けられている。縫込み部３１は、縫込み部２７と共に袋状に縫い付けられた部分である。
【００２０】
上前身頃１８は、図１に示すように、上前正面身頃４０と左脇身頃２２とを備えている。下前身頃２０は、下前正面身頃４２と右脇身頃２４とを備えている。
【００２１】
図４に、上前正面身頃４０を示す。上前正面身頃４０は、図４に示すように上部に、左襟部取付線５０と、上前身頃肩線４４と、左袖部取付線５２が形成されている。左襟部取付線５０には、襟部１２が縫い付けられる。上前身頃肩線４４には、後身頃１６の後身頃左肩線３４が縫い付けられる。左袖部取付線５２には、袖部１４（左）が縫い付けられる。
【００２２】
上前正面身頃４０の左端縁（図４においては正面から見て右方）には、上前身頃脇線５６が設けられ、右端縁には、上前立５８が設けられている。上前立５８には、ボタンホール６０が複数形成されている。
【００２３】
上前身頃脇線５６は、高さ幅がｈ１に形成されている。上前身頃脇線５６は、後述する左脇身頃２２の左脇前線７４の高さ幅と等しい高さ幅を有している。上前身頃脇線５６は、ワイシャツ１０の前方、つまり上前立５８の方向に凹む形で湾曲している。上前正面身頃４０の下端縁６２は、ワイシャツ１０の下端の形状を有している。６４は、上前正面身頃４０に設けられたポケットである。
【００２４】
図７に、左脇身頃２２を示す。図７は、左脇身頃２２をワイシャツ１０の外表面側から示している。左脇身頃２２は、図７に示すように、左脇上線７０と左脇後線７２と左脇前線７４と左脇下線７６とからなる、細長い短冊状に形成されている。尚、右脇身頃２４は、左脇身頃２２と左右対称形であるので、右脇身頃２４については、左脇身頃２２の説明に交えて要点のみを説明する。
【００２５】
左脇上線７０は、袖部１４の形状に沿った形状を有し、袖部１４が縫い付けられる。左脇身頃２２の左脇後線７２は、後身頃左脇線３８の湾曲とほぼ等しい湾曲に形成されている。左脇後線７２には、後身頃左脇線３８が縫い付けられる。同様に、右脇身頃２４の右脇後線７８（図１参照）には、後身頃右脇線３９が縫い付けられる。左脇下線７６は、ワイシャツ１０の下端の形状を有している。
【００２６】
左脇前線７４は、前方、つまり上前正面身頃４０の方向に凸形状に形成されている。左脇前線７４は、上前身頃脇線５６の高さ幅ｈ１と同一の高さ幅を有し、上前正面身頃４０の上前身頃脇線５６に縫い付けられる。
【００２７】
下前正面身頃４２は、上部に、右襟部取付線、及び、図１に示すように、下前身頃肩線４６と右袖部取付線５３が形成されている。右襟部取付線には、襟部１２が縫い付けられる。下前身頃肩線４６には、後身頃１６の後身頃右肩線３２が縫い付けられる。右袖部取付線５３には、袖部１４が縫い付けられる。
【００２８】
下前正面身頃４２の右端縁（図１においては左方）には、下前身頃脇線５７が設けられ、左端縁には、下前立５９が設けられている。下前立５９には、ボタンホール６０に対応したボタン６１が取り付けられている。
【００２９】
下前身頃脇線５７は、右脇身頃２４の右脇前線の高さ幅のｈ１と等しい高さ幅を有している。下前身頃脇線５７は、ワイシャツ１０の前方、つまり下前立５９の方向に、湾曲している。下前身頃脇線５７には、右脇身頃２４の右脇前線が縫い付けられる。下前正面身頃４２の下端縁６３は、ワイシャツ１０の下端の形状を有している。
【００３０】
上前正面身頃４０の上前身頃脇線５６は、左脇身頃２２の左脇前線７４に縫い付けられる。左脇身頃２２の左脇前線７４は前方に凸であるので、上前正面身頃４０は前方に凸に設けられる。
【００３１】
次に、ワイシャツ１０の作用、効果について説明する。
【００３２】
図８に、ワイシャツ１０の斜視図を示す。ワイシャツ１０は、襟部１２と左右の袖部１４と後身頃１６と上前身頃１８と下前身頃２０とを備えて構成されている。後身頃１６の左右側方に、左脇身頃２２と右脇身頃２４が縫い付けられている。左脇身頃２２の前方には上前正面身頃４０が、又、右脇身頃２４の前方には、下前正面身頃４２が縫い付けられている。
【００３３】
後身頃１６の後身頃左肩線３４と上前身頃１８の上前身頃肩線４４とが縫い合わせられ、後身頃１６の後身頃右肩線３２と下前身頃２０の下前身頃肩線４６とが縫い合わせられる。後身頃１６と上前身頃１８と下前身頃２０に、襟部１２が縫い付けられる。袖部１４が袖部縫い合わせ線１５で縫い付けられるとともに、袖部縫い合わせ線１５に連続して上前身頃１８と下前身頃２０とが後身頃１６に縫い合わせられる。下前立５９にボタン６１が、上前立て５８にボタンホール６０が設けられる。
【００３４】
人Ａの脇に位置した左脇身頃２２の左脇前線７４と右脇身頃２４の右脇前線７５とは、図１に示すように、前方に突出するように湾曲している。そのため、上前正面身頃４０や下前正面身頃４２は、左脇身頃２２や右脇身頃２４の湾曲に沿って設けられる。同様に下前正面身頃４２は、右脇身頃２４の右脇前線７５の湾曲により前方に突出した状態に取り付けられる。
【００３５】
このようにして形成されたワイシャツ１０を着用すると、図８に示すように、人Ａの背中に後身頃１６が位置し、左脇に左脇身頃２２が、右脇に右脇身頃２４が位置する。左脇身頃２２と右脇身頃２４は、後身頃１６から前方に屈曲した状態で、後身頃１６の左右に配置される。
【００３６】
ワイシャツ１０は、後身頃１６と上前身頃１８、及び後身頃１６と下前身頃２０とが直接縫い付けられている。したがって、ワイシャツ１０の肩部２６は、生地が一重に形成されている。そのため、ワイシャツ１０は、通気性が良好で、ワイシャツ１０の内部に熱がこもることが少なく、快適に着用できる。又、肩部２６において生地の伸縮性が阻害されないので、運動性が向上する。これにより、ワイシャツ１０を着用したときの肩の動きが快適になる。
【００３７】
更に、後身頃１６と上前身頃１８、及び後身頃１６と下前身頃２０とが直接縫い付けられているため、製造工程が簡略化できる。したがって、ワイシャツ１０を製造するにあたって、手間と製造コストとを低減できる。
【００３８】
更にワイシャツ１０は、後身頃１６の肩部２６に縫込み部２７が設けられているので、肩部２６の形状を、人Ａの肩の形状に適合させることができる。したがって、ワイシャツ１０は、良好な着用感をワイシャツ１０を着用した者に与えることができる。
【００３９】
このように、ワイシャツ１０は、肩部２６を上前身頃１８と下前身頃２０、及び上前身頃１８により形成されるので、構造を簡易化し、着用した際の運動性を向上できる。
【００４０】
肩部２６に設けられた縫込み部２７により、良好な着用感が与えられる。
【００４１】
したがって、ワイシャツ１０は、構造を簡易にし、製造コストを低減できる。ワイシャツ１０は、通気性が向上され、着用感が向上される。ワイシャツ１０は、シャツの肩周りの運動性を向上できる。ワイシャツ１０は、肩部２６の形状が整えられ、ワイシャツ１０を着用したときの見栄えを良好にできる。
【００４２】
尚、本考案は前記実施形態に限られるものではなく、適宜変更して実施できる。例えば、縫込み部２７は、図に示す位置でなく、他の位置に設けてもよい。又、縫込み部２７の数は、左右に１本ずつでなく、複数本であってもよい。
【００４３】
又、本考案は、紳士用のシャツでなく婦人用のシャツ、ブラウス等に用いてもよい。ワイシャツ１０では、左右に脇身頃を設けたが、本考案は、脇身頃を用いず、後身頃と前身頃とを直接縫い合わせてもよい。かかる場合でも、本発明は、上記実施形態と同様の効果を得ることができる。
【産業上の利用可能性】
【００４４】
本考案は、後身頃と前身頃とを有するシャツに利用できる。
【符号の説明】
【００４５】
１０…ワイシャツ、１２…襟部、１４…袖部、１５…袖部縫い合わせ線、１６…後身頃、１８…上前身頃、２０…下前身頃、２２…左脇身頃、２４…右脇身頃、２６…肩部、２７…縫込み部、２９…ウェスト部、３０…襟部取付線、３１…縫込み部、３２…後身頃右肩線、３４…後身頃左肩線、３６…左袖取付線、３７…右袖取付線、３８…後身頃左脇線、３９…後身頃右脇線、４０…上前正面身頃、４２…下前正面身頃、４４…上前身頃肩線、４６…下前身頃肩線、５０…左襟部取付線、５２…左袖部取付線、５３…右袖部取付線、５６…上前身頃脇線、５７…下前身頃脇線、５８…上前立、５９…下前立、６０…ボタンホール、６１…ボタン、６２…下端縁、６３…下端縁、７０…左脇上線、７２…左脇後線、７４…左脇前線、７５…右脇前線、７６…左脇下線、７８…右脇後線。
【図１】
0003180041.tif 000003
【図２】
0003180041.tif 000004
【図３】
0003180041.tif 000005
【図４】
0003180041.tif 000006
【図５】
0003180041.tif 000007
【図６】
0003180041.tif 000008
【図７】
0003180041.tif 000009
【図８】
0003180041.tif 000010